(57)【要約】【課題】火災時に、吊り車等が溶解して戸体が落下しても、戸体が倒れることを防止して、室内外の連通を防止して煙や火炎の侵入を防ぐことができる上吊り引戸を提供する。【解決手段】  戸体と枠体とを備え、枠体は、少なくともひとつの縁に沿って外方若しくは内方に向けて開口する凹部を形成する片を備えると共に、戸体は、閉鎖状態において、枠体の縁に沿って外方若しくは内方に向けて開口する凹部内に先端が位置する片を備えており、戸体の片は補強材により補強されている。【選択図】図２
2015086526.tif 000002
【特許請求の範囲】
【請求項１】
戸体と枠体とを備え、
枠体は、少なくともひとつの縁に沿って外方若しくは内方に向けて開口する凹部を形成する片を備えると共に、
戸体は、閉鎖状態において、枠体の縁に沿って外方若しくは内方に向けて開口する凹部内に先端が位置する片を備えており、
戸体の片は補強材により補強されていることを特徴とする上吊り引戸。
【発明の詳細な説明】
【技術分野】
【０００１】
本発明は、建物開口部に設ける上吊り式の防火引戸に関する。
【背景技術】
【０００２】
従来、防火建具としては、例えば特許文献１に見られるように、戸体または枠体の一方に自動的に突出する係止体を設けて、火災時に一方から他方へ係止体を突出させて、火災時の反り変形を抑制することにより戸体と枠体との間隔が広がることを防止して、延焼ないし類焼等を防止し得るようにしたものが知られている。
【先行技術文献】
【特許文献】
【０００３】
【特許文献１】特開平８−２７７６８４号公報
【発明の概要】
【発明が解決しようとする課題】
【０００４】
しかしながら、上記防火建具においては、戸体及び枠体は不燃、耐火構造を採用してはいるが、たとえば引戸の例として説明されている上吊り式の引戸については、火災時の熱により戸体を吊持している樹脂製の吊車が溶解して、戸体が落下して倒れてしまい、延焼や類焼等を防止できない可能性があった。
【０００５】
本発明は、上記事情を鑑みたものであり、上吊り式の引戸において、火災により車輪が溶解するなど戸体が上レールから落下するなどしても、戸体が倒れることを防止して、開口部の密閉を維持することができる上吊り式の防火引戸を提供することを目的とする。
【課題を解決するための手段】
【０００６】
本発明は、戸体と枠体とを備え、枠体は、少なくともひとつの縁に沿って外方若しくは内方に向けて開口する凹部を形成する片を備えると共に、戸体は、閉鎖状態において、枠体の縁に沿って外方若しくは内方に向けて開口する凹部内に先端が位置する片を備えており、戸体の片は補強材により補強されていることを特徴とする。
【発明の効果】
【０００７】
本発明によれば、火災時に、吊り車等が溶解して戸体が落下しても、戸体を枠体に保持して倒れることを防ぎ、室内外の連通を防止して煙や火炎の侵入を防ぐことができる。
【図面の簡単な説明】
【０００８】
【図１】本発明の実施形態に係る防火引戸の外観図である。
【図２】本発明の実施形態に係る防火引戸の外観図（図１）におけるＡ−Ａ縦断面図である。
【図３】本発明の実施形態に係る防火引戸の外観図（図１）におけるＢ−Ｂ横断面図である。
【図４】本発明の実施形態に係る防火引戸の上枠と片引戸の上部との間の防火構造を示す縦断面図である。
【図５】本発明の実施形態に係る防火引戸の下枠と片引戸の下部との間の防火構造を示す縦断面図である。
【図６】本発明の実施形態に係る防火引戸の右縦枠と片引戸の戸先部との間の防火構造を示す横断面図である。
【図７】本発明の実施形態に係る防火引戸の左縦枠と片引戸の戸尻部との間の防火構造を示す横断面図である。
【図８】本発明の実施形態に係る防火引戸の召合せ部下方の下枠に配置された熱膨張耐火材を示す図である。
【発明を実施するための形態】
【０００９】
（全体の構成）
本発明の防火引戸を、図１に示す、壁等に設けられた開口の左半分をパネル等により壁体２として構成し、右半分を上吊り式の片引戸３により開閉する引戸の例を挙げて説明する。
なお、本発明の防火引戸は、壁等に設けられた開口を２枚の引体により開閉する引き違い戸にも適用できる。
【００１０】
枠体１は、アルミニウム合金の押出形材からなり、片引戸３を開閉可能に吊持するために開口の上側に配置された上枠１１と、片引戸３の下端を案内するために開口の下側に配置された下枠１２と、開口の右側に配置され片引戸３の戸先部に対向する右縦枠１３と、開口の左半分を覆う壁体２の右側に設けられ片引戸３の戸尻部に対向する左縦枠１４（方立）から構成され、枠体１により開口部が形成されている。
【００１１】
片引戸３の略中央には、室外の光を室内に採り込むための採光窓部３５が設けられており，採光窓部３５を構成するガラス３５１の四周は、額部３５２が設けられている。
【００１２】
図２〜８により、本発明の防火引戸について、以下に詳細に説明する。
（枠体の構成）
図２に示されるように、上枠１１は、壁等に固定するための固定片部１１１ａ及び固定片部１１１ａから室外側に水平に延びる水平片部１１１ｂとからなる上端枠部材１１１と、上端枠部材１１１の室内側下面に固定され、その下方室外側に片引戸３の吊車３７が走行するレール１１２ａが形成された上主枠部材１１２と、上端枠部材１１１の室外側端部から垂下するように支持され、その下端に片引戸３の上部室外側面に当接する上気密材１１３ａを有する上前枠部材１１３と、上主枠部材１１２の下方に支持される中空矩形状の上開口枠支持部材１１４と、上開口枠支持部材１１４に支持され、片引戸３により開閉される開口部の上辺を構成する上開口枠部材１１５と、上主枠部材１１２と上前枠部材１１３とを連結する上枠連結部材１１６とからなり、それらを組み合わせてボックス状に構成されている。
そして、ボックス状の上枠１１の内部には、片引戸３を開閉駆動するための開閉手段５が、上枠補強部材１１７を介して上主枠部材１１２に取り付けられた開閉手段支持部材１１８により支持固定されている。
【００１３】
図４に示されるように、開口部の上辺を構成する上開口枠部材１１５の室外側は延設され、さらに上方に向かって高さの異なる外立上片１１５ａ及び内立上片１１５ｂが室内外方向に位置をずらせて形成されている。外立上片１１５ａ及び内立上片１１５ｂとそれらを結ぶ底辺部１１５ｃとにより、上方に向かって開口する折返し凹部１１５ｄが形成され、片引戸３の上框枠３３１と協働して屈曲路からなる折返し８１が構成される。
外立上片１１５ａ及び内立上片１１５ｂの上端部室外側には、それぞれ室外側に向けて片引戸３の上部室内側面に当接する上気密材１１５ｅ、１１５ｆが設けられている。
【００１４】
図２に示されるように、下枠１２は、中空部を有する下主枠部材１２１からなり、下主枠部材１２１の下面には下枠１２を固定するためのアングル材１２２がネジ等により固定されている。下主枠部材１２１の室外側上面には、ステンレス製の靴ずり１２３ａが固定されている。また、下主枠部材１２１の室内外方向中央付近には下気密材取付部材１２４が固定され、下気密材取付部材１２４の室外側には片引戸３の下部室内側面に当設する下気密材１２６が装着されている。下主枠部材１２１の室内側上面には、開口部の下辺を構成する下開口枠部材１２７が固定され、その上面にはステンレス製の靴ずり１２３ｂが固定されている。
【００１５】
図３、６に示されるように、右縦枠１３は、断面中空矩形の右主枠部材１３１と、右主枠部材１３１の室内側内方に固定された右開口枠支持部材１３２と、右開口枠支持部材１３２に支持されて開口部の右辺を構成する右開口枠部材１３３とから構成されている。
【００１６】
右主枠部材１３１の中空矩形の内部にはスチール補強材１３１ａ、１３１ｂが固定されており、片引戸３の戸先部に対向する面には閉鎖時に片引戸３の戸先側端部に当接して片引戸３との間を気密する右気密材１３１ｃ、１３１ｄが室内側及び室外側の縦方向に２条設けられている。
【００１７】
左縦枠１４は、壁体２の右側端部に固定される左主枠部材１４１と、左主枠部材１４１の内方に固定された左開口枠支持部材１４２と、左開口枠支持部材１４２に支持されて開口部の左辺を構成する左開口枠部材１４３とから構成されている。
【００１８】
図７に示すように、開口部の左辺を構成する左開口枠部材１４３の室外側は延設されて延設片１４３ａが形成されており、その室外側端部に片引戸３の戸尻部室内面に当接する左気密材１４３ｃが装着されるとともに、延設片１４３ａの室外側端部から戸尻方向に屈曲されて屈曲片１４３ｂが形成されている。延設片１４３ａ及び屈曲片１４３ｂを含む左開口枠部材１４３と左主枠部材１４１とにより戸尻方向に開口する煙返し凹部１４３ｄが形成され、片引戸３の召合せ框枠３３４と協働して屈曲路からなる煙返し８２が構成される。
【００１９】
（片引戸の構成）
図２、３に示されるように、片引戸３は、断面Ｕ字状の上樹脂フレーム３１ａ、下樹脂フレーム３１ｂ、右樹脂フレーム３１ｃ、及び、左樹脂フレーム３１ｄを上下左右の四周に組んでなるフレーム枠の表裏面を鋼板３２ａ、３２ｂにより覆ってなるパネルにより構成されている。
【００２０】
パネルの略中央には、採光窓部３５が設けられ、採光窓部３５のガラス３５１の四周に配置された額部３５２は、パネルに対して、室内外方向に寸法Ｌ分だけ突出しており、そのため窓の開閉時に額部３５２が左縦枠１４に干渉しないようパネルの室内側面と左縦枠１４の室外側端には間隔Ｍが設けられている。
【００２１】
パネルを構成する樹脂フレームのうち上樹脂フレーム３１ａ，右樹脂フレーム３１ｃ、及び，左樹脂フレーム３１ｄは、Ｕ字状の開口を片引戸３の内方に向けてあり、鋼板３２ａ、３２ｂの上端及び左右端は上樹脂フレーム３１ａ，右樹脂フレーム３１ｃ、及び，左樹脂フレーム３１ｄの外周に沿うように屈曲され、パネルの各端面において、鋼板３２ａ、３２ｂと各樹脂フレーム３１ａ，３１ｃ、３１ｄと各樹脂フレーム３１ａ，３１ｃ、３１ｄ内方に配置される各スチール補強材３４ａ、３４ｃ、３４ｄがネジ等により結合固定されている。
【００２２】
下樹脂フレーム３１ｂは、Ｕ字状の開口を下方に向けてあり、鋼板３２ａ、３２ｂの下端は下樹脂フレーム３１ｂの下端を覆うように屈曲されている。
そして、パネルの上下左右端面に、上框枠３３１、下框枠３３２、右框枠３３３、及び、召合せ框枠３３４が固定されて片引戸３が形成されている。
【００２３】
図２、４に示されるように、上框枠３３１は、上樹脂フレーム３１ａ及び上スチール補強材３４ａにネジ等により固定される本体部３３１ａと本体部３３１ａより室内側に延設する水平片３３１ｂと水平片３３１ｂの室内側端から下方に垂下してなる垂下片３３１ｃとから形成され、垂下片３３１ｃの下端（先端）は上枠１１に形成された折返し凹部１１５ｄ内に位置して屈曲路から成る折返し８１を構成している。また、垂下片３３１ｃの室内側面には上開口枠部材１１５の内立上片１１５ｂに設けられた上気密材１１５ｆが当接している。
【００２４】
片引戸３の上部室内側面には上補助材３３５が固定されており、上補助材３３５の室内側面には上開口枠部材１１５の外立上片１１５ａに設けられた上気密材１１５ｅが当接している。
【００２５】
上框枠３３１の上面にはボルト等でハンガー３６が固定され、ハンガー３６の上端には、ボックス状の上枠１１内に設けられたレール１１２ａ上を走行する吊車３７が設けられている。吊車３７は、開閉手段５によってレール１１２ａ上を左右方向に走行する。
【００２６】
図２、５に示されるように、下框枠３３２は下向きに開口するＵ字状をしており、下樹脂フレーム３１ｂの下向きに開口したＵ字状の内方に下框ステンレス補強材３９を挟んで配置されて、ネジ等により下樹脂フレーム３１ｂ及び下スチール補強材３４ｂと連結固定されており、下框枠３３２の下向きに開口したＵ字状の部分により、下枠１２に立設されたガイドローラ１２５に案内される案内溝３８が構成されている。
【００２７】
また、下框枠３３２の室外側下端及び室内側下端には、左右方向に沿って上方へ向かう外係止部３３２ａ及び内係止部３３２ｂが形成されており、外係止部３３２ａ及び内係止部３３２ｂには、気密断熱材３３２ｃ，３３２ｄを介して鋼板３２ａ、３２ｂに覆われた下樹脂フレーム３１ｂの室外側及び室内側の下端がそれぞれ係止されている。
【００２８】
図６に示されるように、右框枠３３３は右樹脂フレーム３１ｃ及び右スチール補強材３４ｃに対して、熱膨張耐火材７０ａ，７０ｂを挟んでネジ等により連結固定されている。
【００２９】
図７に示されるように、召合せ框枠３３４は、ネジ等により左樹脂フレーム３１ｄ及び左スチール補強材３４ｄに連結固定される本体部３３４ａと、本体部３３４ａから左縦枠１４に向かって延設するカギ状片３３４ｂと、カギ状片３３４ｂの室内側端部を戸先側に屈曲してなる屈曲片３３４ｃを備えてなり、屈曲片３３４ｃの先端は左開口枠部材１４３に形成された煙返し凹部１４３ｄ内に位置して屈曲路から成る煙返し８２を構成している。召合せ框枠３３４のカギ状片３３４ｂの室内側面には、左縦枠１４に当接する左気密材３３４ｈが配置されている。
【００３０】
また、片引戸３の戸尻部の室内側面には、召合せ補助材３３６が固定されている。召合せ補助材３３６は中空矩形の本体部３３６ａと本体部３３６ａの一辺より延びる取付部３３６ｂとから構成されており、取付部３３６ｂが片引戸３の戸尻部端面に固定され、中空矩形の本体部３３６ａが左縦枠１４に向かって突出している。召合せ補助材３３６の本体部３３６ａの室内側面には、左開口枠部材１４３の延設片１４３ａに設けられた左気密材１４３ｃが当接している。
【００３１】
このように、召合せ框枠３３４の室内側に左縦枠１４に向かって延設するカギ状片３３４ｂを設けることや片引戸３の戸尻部の室内側面に左縦枠１４に向かって突出するように召合せ補助材３３６を固定することにより、片引戸３の戸尻部に、閉鎖時に室内外方向に対向する左縦枠１４の室外側面に向かって突出する召合せ凸部を形成して、片引戸３の開閉に際して左縦枠１４に採光窓部３５の額部３５２が干渉することを防ぎながら片引戸３の召合せ部の気密を可能にしている。
【００３２】
片引戸３の戸尻部の召合せ補助材３３６は別体として構成されているが、これを召合せ框枠３３４に一体的に形成してもよい。さらに言えば、召合せ凸部は、召合せ框枠３３４の室内側に延設するカギ状片３３４ｂと片引戸３の戸尻部の室内側面に設けられる召合せ補助材３３６のいずれか一方でも両方でも良い。
引戸として引き違い戸を採用する際には、引戸に設けられる額部の構成等に応じて左右いずれの戸尻部にも召合せ凸部を設けることができ、又、両方の引戸の戸尻部に設けることもできる。
【００３３】
（片引戸上部の防火構造）
図４に示されるように、片引戸３の上框枠３３１の本体部３３１ａと水平片３３１ｂの下面及び垂下片３３１ｃの室外側面に沿って、水平部６１ａ及び垂下部６１ｂよりなるステンレス補強材６１が配置されている。
ステンレス補強材６１は、その垂下部６１ｂの下端が上框枠３３１の垂下片３３１ｃの下端に形成された係止溝３３１ｄに係止され、水平部６１ａの中央部付近がリベットにより上框枠３３１の水平片３３１ｂに固定されている。ステンレス補強材６１の水平部６１ａの室外側は上框枠３３１の本体部３３１ａと上樹脂フレーム３１ａに沿って屈曲された鋼板３２ｂの上端面との間に挟まれて、上框枠３３１とともに上樹脂フレーム３１ａ及び上スチール補強材３４ａにネジ等により連結固定されている。
なお、ステンレス補強材６１の水平部６１ａと鋼板３２ｂ上面との間には、防水テープ３３１ｅが配置されている。
【００３４】
上枠１１の上開口枠部材１１５の室外側端部に形成された折返し凹部１１５ｄの底辺部１１５ｃには、上部熱膨張耐火材７１が設置されると共に、上主枠部材１１２の折返し凹部１１５ｄの上方付近に上部熱膨張耐火材７２が設置されている。
【００３５】
片引戸３上部の上記構成により、火災時に室外側より火炎が接近して片引戸３のアルミニウム合金製の上框枠３３１が熔解しても、その下面にはステンレス補強材６１が配置されているので、開口部の上部において室外側と室内側が直接連通することを防止できる。そして、ステンレス補強材６１は、片引戸３の鋼板３２ｂ及び上スチール補強材３４ａに連結固定されているので、上框枠３３１の溶解により落下することなく、引戸の上部における連通の防止を維持することができる。
【００３６】
また、折返し凹部１１５ｄの底辺部１１５ｃに設置された上部熱膨張耐火材７１と上主枠部材１１２の下面に設置された上部熱膨張耐火材７２が火炎の熱により膨張して、片引戸３の上框枠３３１と上枠１１との間に形成された屈曲路から構成される折返し８１においてステンレス補強材６１を包み込むように充満することによって、室内側と室内側の連通を確実に防止し、火炎や煙の侵入を防ぐことができる。
【００３７】
さらに、火炎により、片引戸３の樹脂製の吊車３７等が溶解して片引戸３がレール１１２ａから脱落しても、片引戸３の上框枠３３１の垂下片３３１ｃを補強するステンレス補強材６１の垂下部６１ｂが室外側からの火炎を直接受けることのない上開口枠部材１１５の折返し凹部１１５ｄに係止されるので、片引戸３が室外側に倒れることを防止することができる。
なお、ステンレス補強材６１の作用効果として、片引戸３の倒れ防止のみを要求するのであれば、ステンレス補強材６１は、上框枠３３１の全長に亘る長尺の部材ではなく、短尺の部材として形成されてもよい。
【００３８】
（片引戸下部の防火構造）
図５に示されるように、片引戸３の下框枠３３２は下方に開口するＵ字状をしており、その下方端部には下方に開口する耐火材取付溝３３２ｅ、３３２ｆが左右方向に沿って室内側及び室外側の２条に形成されており、少なくとも室内側の耐火材取付溝３３２ｆには、長尺の下部熱膨張耐火材７３ｂが挿入されている。
【００３９】
片引戸３下部の上記構成により、火災時に室外側より火炎が接近した場合には、片引戸３の下框枠３３２の耐火材取付溝３３２ｅ、３３２ｆに設けられた下部熱膨張耐火材７３ａ、７３ｂが膨張して片引戸３の下部と下枠１２との間を塞ぐことができ連通を確実に防止して、炎や煙の侵入を防止することができる。
【００４０】
（片引戸戸先部の防火構造）
図６に示されるように、片引戸３の右框枠３３３の戸先側端面には、外方に開口する耐火材取付溝３３３ａ、３３３ｂが上下方向に沿って室内側及び室外側の２条に形成されており、少なくとも室内側の耐火材取付溝３３３ｂには、長尺の戸先部熱膨張耐火材７４ｂが挿入されている。
【００４１】
片引戸３の戸先部の上記構成により、火災時に室外側より火炎が接近した場合には、片引戸３の右框枠３３３の耐火材取付溝３３３ａ、３３３ｂに設けられた戸先部熱膨張耐火材７４ａ、７４ｂが膨張して片引戸３の戸先部と右縦枠１３との間を塞ぐことができ、連通を確実に防止して、炎や煙の侵入を防止することができる。
さらに、戸先部熱膨張耐火材７４ａ、７４ｂと下部熱膨張耐火材７３ａ、７３ｂとを連続させることにより、片引戸３の下部と戸先部との連続した防火ラインを形成することができる。
【００４２】
（片引戸戸尻部の防火構造）
図７に示されるように、片引戸３の召合せ框枠３３４の本体部３３４ａの内方面及び屈曲片３３４ｃの室外側面には、本体部６２ａ及び屈曲部６２ｂよりなるステンレス補強材６２が配置されている。屈曲部６２ｂの先端は、召合せ框枠３３４の屈曲片３３４ｃに設けられた係止溝３３４ｄに係止されており、ステンレス補強材６２の本体部６２ａは召合せ補助材３３６の取付部３３６ｂと召合せ框枠３３４の本体部３３４ａとの間に配置され、召合せ框枠３３４と召合せ補助材３３６と共に左樹脂フレーム３１ｄ及び左スチール補強材３４ｄにねじ等により連結固定されている。
【００４３】
なお、ステンレス補強材６２と召合せ補助材３３６の本体部３３６ａとの間には、気密断熱材３３４ｅ、３３４ｆ、３３４ｇが配置されている。
【００４４】
一方、左縦枠１４の煙返し凹部１４３ｄを構成する左主枠部材１４１から左開口枠部材１４３の延設片１４３ａに沿って断面Ｌ字状のステンレス補強材６３が配置されており、左主枠部材１４１にネジ等で固定されている。
【００４５】
召合せ補助材３３６の室内側面には左縦枠１４の左開口枠部材１４３の屈曲片１４３ｂに向けて召合せ部熱膨張耐火材７５が配置され、左縦枠１４の左主枠部材１４１の室外側面には召合せ框枠３３４の屈曲片３３４ｃに向けて召合せ部熱膨張耐火材７６が配置され、さらに、召合せ框枠３３４のカギ状片３３４ｂの底部には召合せ部熱膨張耐火材７７が配置され、３つの召合せ部熱膨張耐火材７５、７６、７７が煙返し８２を囲むように配置されている。
【００４６】
片引戸３の戸尻部の上記構成により、火災時に室外側より火炎が接近して片引戸３のアルミニウム合金製の召合せ框枠３３４が熔解しても、その内面にステンレス補強材６２が配置されているので、引戸の戸尻部において室外側と室内側が直接連通することを防止できる。
【００４７】
そして、ステンレス補強材６２は、片引戸３の鋼板３２ｂ及び左スチール補強材３４ｄに連結固定されているので、召合せ框枠３３４の溶解により脱落することなく、開口部の召合せ辺における連通の防止を維持することができる。
【００４８】
さらに、左縦枠１４の煙返し凹部１４３ｄを構成する左主枠部材１４１から左開口枠部材１４３の延設片１４３ａにステンレス補強材６３を設けたので、室内側からの火炎に対しても室内側と室内側の連通を防止して延焼を防ぐことができる。
【００４９】
また、召合せ補助材３３６の室内側面に配置された召合せ部熱膨張耐火材７５及び左縦枠１４の左主枠部材１４１の室外側面に配置された召合せ部熱膨張耐火材７６が火炎の熱により膨張して、召合せ部における室内外の連通を防止するとともに、片引戸３の召合せ框枠３３４と左縦枠１４との間に形成された屈曲路から構成される煙返しにおいてステンレス補強材６２及びステンレス補強材６３を包み込むように３つの召合せ部熱膨張耐火材７５，７６、７７が充満することによって、室内側と室内側の連通を確実に防止し、火炎や煙の侵入を防ぐことができる。
【００５０】
火炎により、片引戸３の樹脂製の吊車３７等が溶解して片引戸３がレール１１２ａから脱落しても、片引戸３の召合せ框枠３３４の屈曲片３３４ｃを補強するステンレス補強材６２の屈曲部６２ｂが、室外側からの火炎を直接受けることのない左開口枠部材１４３の煙返し凹部１４３ｄに係止されるので、片引戸３が室外側に倒れることを防止することができる。
なお、ステンレス補強材６２の作用効果として、片引戸３の倒れ防止のみを要求するのであれば、ステンレス補強材６２は、召合せ框枠３３４の全長に亘る長尺の部材ではなく、短尺の部材として形成されてもよい。
【００５１】
（片引戸召合せ部下面の防火構造）
図８に示されるように、下枠１２上に、平面視で少なくとも片引戸３の下框枠３３２に設けた下部熱膨張耐火材７３ｂの位置と召合せ補助材３３６の室内側面に設けた召合せ部熱膨張耐火材７５の位置とを連続して含む形状の召合せ下部熱膨張耐火材７８がねじ等により固定されている。
【００５２】
片引戸３の召合せ部下面の上記構成により、防火引戸に採光窓部３５や額部３５２を設けることによって召合せ部に間隔が生じても、熱膨張耐火材による召合せ部の閉塞を可能にするとともに、召合せ下部熱膨張耐火材により、片引戸３の召合せ下部と下枠１２上面との隙間を閉塞しながら下部熱膨張耐火材７３ｂと召合せ部熱膨張耐火材７５とを連続させることができるので、片引戸３と枠体１との間に炎や煙の入り込む隙間を生じるのを防止できる。
【００５３】
また、召合せ下部熱膨張耐火材７８を下枠１２の上面に取付けることにより、防火引戸に設けられる採光窓部３５の額部３５２の大きさ、すなわち下部熱膨張耐火材７３ｂと召合せ部熱膨張耐火材７５の間隔が変化しても、召合せ下部熱膨張耐火材７８大きさや形状を変更するだけで両者を連続することができる。さらに、召合せ下部熱膨張耐火材７８の取付や片引戸３の召合せ部下面とのクリアランスの確保が容易である。
【００５４】
以上のように、本発明の防火引戸は、上枠１１の折返し凹部１１５ｄ内や左縦枠１４の煙返し凹部１４３ｄ内に先端が位置する上框枠３３１の垂下片３３１ｃや召合せ框枠３３４の屈曲片３３４ｃをステンレス補強材により補強することにより、片引戸３の樹脂製の吊車３７等が溶解して片引戸３がレール１１２ａから脱落しても、ステンレス補強材が室外側からの火炎を直接受けることのない上枠１１の折返し凹部１１５ｄや左縦枠１４の煙返し凹部１４３ｄに係止されるので、片引戸３が室外側に倒れることを防止することができる。
【００５５】
さらに、片引戸３の垂下片３３１ｃや屈曲片３３４ｃを補強するステンレス補強材は片引戸３を構成する鋼板３２ａ，３２ｂ及びスチール補強材３４ａ、３４ｄに固定されているので、開口部全体がスチール部材と熱膨張耐火材により覆われるので、開口部からの延焼や煙の侵入を防止することができる。
【００５６】
なお、ステンレス補強材により補強する片は、片引戸３の垂下片３３１ｃや屈曲片３３４ｃに限るものではなく、防火引戸を設置する場所の状況によって、上枠１１の外立上片１１５ａや左縦枠１４の屈曲片１４３ｂを補強してもよく、また、両者ともに補強しても良い。
また、上枠１１の折返し凹部１１５ｄや左縦枠１４の煙返し凹部１４３ｄは、引戸の外方（上方、戸尻方向）に向かって開口されているものではあるが、たとえば戸先側に設ける場合などには、枠体に設ける凹部は引戸の内方に向かって開口されるものでも可能である。
【符号の説明】
【００５７】
１  枠体
１１  上枠
１１１  上端枠部材
１１１ａ  固定片部
１１１ｂ  水平片部
１１２  上主枠部材
１１２ａ  レール
１１３  上前枠部材
１１３ａ  上気密材
１１４  上開口枠支持部材
１１５  上開口枠部材
１１５ａ  外立上片
１１５ｂ  内立上片
１１５ｃ  底辺部
１１５ｄ  折返し凹部（凹部）
１１５ｅ、１１５ｆ  上気密材
１１６  上枠連結部材
１１７  上枠補強部材
１１８  開閉手段支持部材
１２  下枠
１２１  下主枠部材
１２２  アングル材
１２３ａ、１２３ｂ  靴ずり
１２４  下気密材取付部材
１２５  ガイドローラ
１２６  下気密材
１２７  下開口枠部材
１３  右縦枠
１３１  右主枠部材
１３１ａ、１３１ｂ  スチール補強材
１３１ｃ、１３１ｄ  右気密材
１３２  右開口枠支持部材
１３３  右開口枠部材
１４  左縦枠
１４１  左主枠部材
１４２  左開口枠支持部材
１４３  左開口枠部材
１４３ａ  延設片
１４３ｂ  屈曲片
１４３ｃ  左気密材
１４３ｄ  煙返し凹部（凹部）
２  壁体
３  片引戸
３１ａ  上樹脂フレーム
３１ｂ  下樹脂フレーム
３１ｃ  右樹脂フレーム
３１ｄ  左樹脂フレーム
３２ａ、３２ｂ  鋼板
３３１  上框枠
３３１ａ  本体片
３３１ｂ  水平片
３３１ｃ  垂下片（片）
３３１ｄ  係止溝
３３１ｅ  防水テープ
３３２  下框枠
３３２ａ  外係止部
３３２ｂ  内係止部
３３２ｃ，３３２ｄ  気密断熱材
３３２ｅ、３３２ｆ  耐火材取付溝
３３３  右框枠
３３３ａ、３３３ｂ  耐火材取付溝
３３４  召合せ框枠
３３４ａ  本体部
３３４ｂ  カギ状片
３３４ｃ  屈曲片（片）
３３４ｄ  係止溝
３３４ｅ、３３４ｆ、３３４ｇ、  気密断熱材
３３４ｈ  左気密材
３３５  上補助材
３３６  召合せ補助材
３３６ａ  本体部
３３６ｂ  取付部
３４ａ  上スチール補強材
３４ｂ  下スチール補強材
３４ｃ  右スチール補強材
３４ｄ  左スチール補強材
３５  採光窓部
３５１  ガラス
３５２  額部
３６  ハンガー
３７  吊車
３８  案内溝
３９  下框ステンレス補強材
５  開閉手段
６１  ステンレス補強材
６１ａ  水平部
６１ｂ  垂下部
６２  ステンレス補強材
６２ａ  本体部
６２ｂ  屈曲部
６３  ステンレス補強材
７０ａ、７０ｂ  熱膨張耐火材
７１、７２  上部熱膨張耐火材
７３ａ、７３ｂ  下部熱膨張耐火材
７４ａ、７４ｂ  戸先部熱膨張耐火材
７５〜７７  召合せ部熱膨張耐火材
７８  召合せ下部熱膨張耐火材
８１  折返し
８２  煙返し
【図１】
2015086526.tif 000003
【図２】
2015086526.tif 000004
【図３】
2015086526.tif 000005
【図４】
2015086526.tif 000006
【図５】
2015086526.tif 000007
【図６】
2015086526.tif 000008
【図７】
2015086526.tif 000009
【図８】
2015086526.tif 000010